(57)【要約】      （修正有）【課題】トラップ部材の内部に封水流路を形成する隔壁の下端縁からトラップ部材に設けられた排出口の下縁までの距離を規格に適合させつつ、床下への突出寸法を可及的に抑制することができる排水トラップを提供する。【解決手段】排水トラップ１は、上接続部１１と下接続部１２と取付部１３を有する接続部材１０と、上支持部２１と封水部２２を有するトラップ部材２０とを備える。トラップ部材は、上支持部と封水部の隔壁２６を接続し且つトラップ部材の上部開口を塞ぐ天壁２３を有する。天壁の下方に排出口２７を形成し、排出口を形成している側の封水部の外周面が上支持部の外周面よりトラップ部材の中央側に偏位している。天壁を取付部と略同高さで且つ略水平に形成し、天壁の下面と封水部の上端縁とで排出口の上下縁２７ｂ、２７ａを形成し、排出口の下縁を下接続部の下端縁１２ａより上位に配置している。【選択図】図１
2016089535.tif 000002
【特許請求の範囲】
【請求項１】
排水流入管（Ｐ１）と接続される筒状の上接続部（１１）と、排水流出管（Ｐ２）と接続される筒状の下接続部（１２）と、床（Ｆ）に取り付けられる取付部（１３）とを有する接続部材（１０）と、
前記接続部材（１０）の下接続部（１２）内に上から挿入されて前記接続部材（１０）に支持される上支持部（２１）と、この上支持部（２１）の下側で隔壁（２６）と排出口（２７）によって水封をする有底筒状の封水部（２２）とを有するトラップ部材（２０）とを備えており、
前記トラップ部材（２０）は、前記上支持部（２１）の内周と前記隔壁（２６）の上部とを接続し且つ前記封水部（２２）の上部開口（２２ｅ）の略半分を塞ぐ天壁（２３）を有し、この天壁（２３）の下方に前記排出口（２７）を形成し、この排出口（２７）を形成している側の前記封水部（２２）の外周面が前記上支持部（２１）の外周面より前記トラップ部材（２０）の中央側に偏位している排水トラップであって、
前記トラップ部材（２０）の天壁（２３）を前記接続部材（１０）の取付部（１３）と略同高さでかつ略水平に形成し、この天壁（２３）の下面と前記封水部（２２）の上端縁とで前記排出口（２７）の上下縁（２７ｂ、２７ａ）を形成し、前記排出口（２７）の下縁（２７ａ）を前記接続部材（１０）の下接続部（１２）の下端縁（１２ａ）より上位に配置していることを特徴とする排水トラップ。
【請求項２】
前記トラップ部材（２０）は、前記天壁（２３）の外周下面に前記排出口（２７）の上部を径外側から覆う廂部（３０）を突設し、この廂部（３０）の内面に前記排出口（２７）から流出する排水を下向きに案内する断面側面視円弧状の案内面（３０ａ）を形成していることを特徴とする請求項１に記載の排水トラップ。
【請求項３】
前記接続部材（１０）は、前記下接続部（１２）の上部内周に前記トラップ部材（２０）の天壁（２３）の外周下面に沿って前記排出口（２７）の上部を径外側から覆う廂突起部（１６）を突設し、この廂突起部（１６）の内面に前記排出口（２７）から流出する排水を下向きに案内する断面側面視円弧状の案内面（１６ａ）を形成していることを特徴とする請求項１に記載の排水トラップ。
【請求項４】
前記トラップ部材（２０）は、前記天壁（２３）の前記隔壁（２６）との接続側上面に、前記隔壁（２６）と直交する方向に長く且つ上方から指摘み可能な摘み部（３１）を突設していることを特徴とする請求項１〜３のいずれか１項に記載の排水トラップ。
【発明の詳細な説明】
【技術分野】
【０００１】
本発明は、洗濯機等から排出される排水を下水道に案内するとともに、下水道の臭気や害虫が屋内に侵入するのを抑制する排水トラップに関するものである。
【背景技術】
【０００２】
洗濯機等から排出される排水は、排水ホースを介して床の排水口に導かれ、床下に配設された排水流出管を介して下水道に排水される。下水道の臭気や害虫等が排水口を介して屋内に侵入するのを抑制するために、排水トラップが用いられている（特許文献１参照）。
図８に示されるように、特許文献１に開示された排水トラップ１０１は、床Ｆに取り付けられる筒状の接続部材１１０と、接続部材１１０から床下に突出する有底筒状のトラップ部材１２０とを備えている。
【０００３】
接続部材１１０の上部には、ホースジョイントＰ１を介して洗濯機等の排水ホースが接続される。接続部材１１０の下部には、床下に配設された排水流出管Ｐ２が接続される。
トラップ部材１２０は、接続部材１１０に上から挿入されて、接続部材１１０に吊り下げ支持される。トラップ部材１２０の内部には、隔壁１２１によってＵ字状の封水流路１２２が区画形成されている。
【０００４】
洗濯機等から排出される排水は、ホースジョイントＰ１を介して排水トラップ１０１に流入し、接続部材１１０を通ってトラップ部材１２０に流入する。トラップ部材１２０に流入した排水は、斜め下方に傾斜した天壁１２３によって封水流路１２２に案内され、封水流路１２２を通過した後、排出口１２４を介して排出される。排出口１２４から排出された排水は、排水流出管Ｐ２を介して下水道に案内される。
【０００５】
下水道の臭気や害虫が排水流出管Ｐ２を通って排出口１２４からトラップ部材１２０内に侵入すると、封水流路１２２内に貯えられた排水によって、封水流路１２２への侵入が阻止される。したがって、下水道の臭気や害虫が屋内に侵入するのを抑制することができる。
【先行技術文献】
【特許文献】
【０００６】
特開２００８−２６１１８３号公報
【発明の概要】
【発明が解決しようとする課題】
【０００７】
特許文献１に開示されたような構造の排水トラップ１０１では、以下に述べるような課題がある。
すなわち、トラップ部材１２０の内部に封水流路１２２を区画形成する隔壁１２１の下端縁１２１ａから排出口１２４の下縁１２４ａまでの距離Ｄは、所定の水封性能を確保するために、規格により定められている（例えば、５０ｍｍ）。したがって、当該距離が規格に適合するように排水トラップ１０１を設計する必要がある。
【０００８】
しかしながら、床下空間の高さが低いと、トラップ部材１２０の下端が床下空間の底面と干渉して、排水トラップ１０１を床Ｆに取り付けることができない場合がある。そのような場合に、床Ｆの位置を高くすると、大掛かりな工事が必要となり、手間と費用が嵩む。
また、排水流出管Ｐ２の一端を床Ｆの上方に突出させ、排水トラップ１０１の接続部材１１０の外周下面と床Ｆの上面との間にスペーサを挿入して排水トラップ１０１を床Ｆから持ち上げると、排水流出管Ｐ２に排水トラップ１０１を接続することができる。しかしながら、ホースジョイントＰ１と排水ホースとの接続部と、床Ｆの上面を這う排水ホースとの間の段差が大きくなるため、スムーズな排水ができなくなる虞がある。
【０００９】
本発明は、上記課題に鑑みてなされたものであり、その目的は、トラップ部材の内部に封水流路を区画形成する隔壁の下端縁からトラップ部材に設けられた排出口の下縁までの距離を規格に適合させつつ、床下への突出寸法を可及的に抑制することができる排水トラップを提供することにある。
【課題を解決するための手段】
【００１０】
上記課題を解決するため、本発明は、以下の技術的手段を講じている。
即ち、本発明の排水トラップは、排水流入管Ｐ１と接続される筒状の上接続部１１と、排水流出管Ｐ２と接続される筒状の下接続部１２と、床Ｆに取り付けられる取付部１３とを有する接続部材１０と、前記接続部材１０の下接続部１２内に上から挿入されて前記接続部材１０に支持される上支持部２１と、この上支持部２１の下側で隔壁２６と排出口２７によって水封をする有底筒状の封水部２２とを有するトラップ部材２０とを備えており、前記トラップ部材２０は、前記上支持部２１の内周と前記隔壁２６の上部とを接続し且つ前記封水部２２の上部開口２２ｅの略半分を塞ぐ天壁２３を有し、この天壁２３の下方に前記排出口２７を形成し、この排出口２７を形成している側の前記封水部２２の外周面が前記上支持部２１の外周面より前記トラップ部材２０の中央側に偏位している排水トラップであって、前記トラップ部材２０の天壁２３を前記接続部材１０の取付部１３と略同高さでかつ略水平に形成し、この天壁２３の下面と前記封水部２２の上端縁とで前記排出口２７の上下縁２７ｂ、２７ａを形成し、前記排出口２７の下縁２７ａを前記接続部材１０の下接続部１２の下端縁１２ａより上位に配置していることを特徴とする。
【００１１】
なお、前記トラップ部材２０は、前記天壁２３の外周下面に前記排出口２７の上部を径外側から覆う廂部３０を突設し、この廂部３０の内面に前記排出口２７から流出する排水を下向きに案内する断面側面視円弧状の案内面３０ａを形成していることが好ましい。
また、前記接続部材１０は、前記下接続部１２の上部内周に前記トラップ部材２０の天壁２３の外周下面に沿って前記排出口２７の上部を径外側から覆う廂突起部１６を突設し、この廂突起部１６の内面に前記排出口２７から流出する排水を下向きに案内する断面側面視円弧状の案内面１６ａを形成していることが好ましい。
【００１２】
また、前記トラップ部材２０は、前記天壁２３の前記隔壁２６との接続側上面に、前記隔壁２６と直交する方向に長く且つ上方から指摘み可能な摘み部３１を突設していることが好ましい。
【発明の効果】
【００１３】
本発明の排水トラップによれば、トラップ部材２０の内部に封水流路２９を区画形成する隔壁２６の下端縁２６ａからトラップ部材２０に設けられた排出口２７の下縁２７ａまでの距離を規格に適合させつつ、床下への突出寸法を可及的に抑制することができる。
また、トラップ部材２０に廂部３０が設けられている場合には、排出口２７からの排水に乱流が発生し難くなり、流れがスムーズになるため、排水性が向上する。
【００１４】
また、接続部材１０に廂突起部１６が設けられている場合には、排出口２７からの排水に乱流が発生し難くなり、流れがスムーズになるため、排水性が向上する。
また、トラップ部材２０に摘み部３１が設けられている場合には、トラップ部材２０を接続部材１０に着脱するのが容易になるとともに、封水部２２に排水がスムーズに流入す
るようになるため、排水性が向上する。
【図面の簡単な説明】
【００１５】
【図１】第１実施形態の排水トラップの一部破断正面図である。
【図２】第１実施形態の排水トラップの右側面図である。
【図３】接続部材とトラップ部材の分解断面図である。
【図４】図１のＩＶ−ＩＶ線断面図である。
【図５】第２実施形態の排水トラップの一部破断正面図である
【図６】接続部材とトラップ部材の分解断面図である。
【図７】接続部材の平面図である。
【図８】従来の排水トラップの一部破断正面図である。
【発明を実施するための形態】
【００１６】
［第１実施形態］
以下、本発明の実施形態を図面に基づき詳しく説明する。図１〜図４は第１実施形態の排水トラップ１を示している。
図１に示される排水トラップ１は、床Ｆに取り付けられる筒状の接続部材１０と、接続部材１０から床下に突出する有底筒状のトラップ部材２０と、接続部材１０に接続される排水流入管としてのホースジョイントＰ１と、接続部材１０に対してホースジョイントＰ１を固定するロック部材４０と、接続部材１０の外周を包囲する化粧カバー７０とを備えている。
【００１７】
接続部材１０は、例えば合成樹脂により形成され、上方に突出する筒状の上接続部１１と、下方に突出する筒状の下接続部１２と、径大の上接続部１１の下縁と径小の下接続部１２の上縁とを継ぐ環状の支持部１４と、この支持部１４と同高さで上接続部１１の下縁から突出する外向きフランジ状の取付部１３とを有する。
【００１８】
ホースジョイントＰ１は、側面視Ｌ字形のエルボー状部材であり、弾性材料により形成されている。ホースジョイントＰ１の一端の外周には鍔部Ｐ１ａが形成されている。鍔部Ｐ１ａはホースジョイントＰ１の径外方向に突出しており、上接続部１１の内周に嵌合する。ロック部材４０は、上接続部１１の内周に螺合するように形成されている。ホースジョイントＰ１の一端が上接続部１１内に挿入された状態で、ロック部材４０を上接続部１１にねじ込むと、鍔部Ｐ１ａがロック部材４０と接続部材１０の支持部１４との間で挟圧されて、ホースジョイントＰ１が接続部材１０に固定される。
【００１９】
ホースジョイントＰ１の他端には洗濯機等の排水ホースの一端が挿入される。ホースジョイントＰ１の他端の外周には締付具５０（図２参照）が装着されており、この締付具５０でホースジョイントＰ１の他端の外周を締め付けると、排水ホースがホースジョイントＰ１に固定される。
下接続部１２は、支持部１４の内周下面から下方に突出しており、床下に配設された排水流出管Ｐ２の上端が接続される。この排水流出管Ｐ２の上端は、床Ｆに穿設された排水口Ｈまで挿入されていて、下接続部１２の外周に嵌合調整のために装着したスリーブ状のアダプター６０に外嵌している。
【００２０】
支持部１４は、上接続部１１の内周下端から略水平に径内方向に突出している。支持部１４の環状の上面にはホースジョイントＰ１の鍔部Ｐ１ａが載置支持され、その上面と内周面が交差する角部には係合凹部１４ａが全周に亘って形成されている。
取付部１３は、下面が床Ｆに面接され、外周の取付穴１３ａに貫通するネジＳによって床Ｆの上面に固定される。
【００２１】
床Ｆに取り付けられた接続部材１０には化粧カバー７０が装着される。化粧カバー７０
は断面ハット形の環状部材で、上接続部１１の外周に嵌着され、上接続部１１の外周面、取付部１３の上面及び外周面を覆う。
トラップ部材２０は、例えば合成樹脂によって形成され、上部に設けられた上支持部２１と、上支持部２１の下側に設けられた封水部２２とを有する。
【００２２】
上支持部２１は外周円形であって、その内部には略半円状の天壁２３が一体成形され、その上端外周には径外方向に突出したフランジ状の掛部２１ａが形成されている。上支持部２１は、接続部材１０の下接続部１２内に上から挿入されて掛部２１ａが支持部１４の係合凹部１４ａに係合することで、トラップ部材２０の上部が接続部材１０に対して径方向に位置決めされるとともに、トラップ部材２０が接続部材１０に吊り下げ支持されて、接続部材１０から下方に垂下した状態になる。
【００２３】
封水部２２は、円筒状の周壁２４と、その下端に接合された有底短円筒状の底壁２５と、周壁２４の内側に配置されていて天壁２３と連続している隔壁２６とにより構成され、上部側面に排出口２７が形成されている。底壁２５は周壁２４と別個に製作されて、周壁２４と例えば超音波溶着によって接合されている。
【００２４】
小径の封水部２２は大径の上支持部２１に対して偏心しており、排出口２７の位置と反対側で両者の外周面が面一になっている。図１の符号Ａは封水部２２の中心軸を示しており、符号Ａ’は上支持部２１の中心軸を示している。封水部２２の周壁２４の外周面のうち、排出口２７を形成している側の外周面が上支持部２１の外周面よりトラップ部材２０の中央側に距離ｄ（図３参照）偏位しており、周壁２４と上支持部２１の間に底面視三日月状の空隙２８（図４参照）が形成されている。この空隙２８は排出口２７と排水流出管Ｐ２に連通している。周壁２４の上端は、約半周が上支持部２１に接続されており、残りの約半周が上支持部２１の下方に位置していて、その上端縁は排出口２７の下縁２７ａを形成している。
【００２５】
排出口２７は天壁２３の下方に形成されており、排出口２７の上縁２７ｂは天壁２３の下面２３ａにより形成されている。排出口２７の下縁２７ａは、接続部材１０の下接続部１２の下端縁１２ａより上位に配置されていることにより、排出口２７は下接続部１２の下部の内周面と対向している。
隔壁２６は板状で、周壁２４の略直径方向で且つ略垂直に延びて周壁２４の内部を２分割しており、その上端は天壁２３の内縁とアール部を介して接続され、下端は周壁２４の下端まで延在しており、周壁２４の内面及び底壁２５の内面との間にＵ字状の封水流路２９を区画形成している。
【００２６】
封水流路２９は、封水部２２内に下部が連通された入口側流路２９ａと出口側流路２９ｂにより形成されている。入口側流路２９ａは、トラップ部材２０の上端に流入する排水を封水部２２の底部に案内する。出口側流路２９ｂは、封水部２２の底部に流入した排水を排出口２７に案内する。排出口２７の下縁２７ａを乗り越えた排水は、排出口２７から溢水してトラップ部材２０の外部に排出される。
【００２７】
封水部２２は、隔壁２６と排出口２７によって水封をする。すなわち、封水流路２９内には、排出口２７の下縁２７ａ以下の位置において、隔壁２６の両側に排水が貯えられる。下水道の臭気や害虫が排出口２７からトラップ部材２０内に侵入すると、封水流路２９内に貯えられた排水によって封水流路２９への侵入が阻止される。したがって、下水道の臭気や害虫が屋内に侵入するのを抑制することができる。隔壁２６の下端縁２６ａから排出口２７の下縁２７ａまでの距離Ｄ（図３参照）は、所定の水封性能を確保するために、規格値（例えば、５０ｍｍ）以上となるように設定されている。
【００２８】
天壁２３は、上支持部２１の内周と隔壁２６の上部とを接続し且つ封水部２２の上部開
口２２ｅ（図４参照）の略半分を塞いでいる。天壁２３は、接続部材１０の取付部１３と略同高さ（取付部１３に対して略水平方向に位置している）で且つ略水平に形成されている。天壁２３と隔壁２６との接続部は断面側面視円弧状に形成されており、天壁２３の上面に落下した排水は天壁２３の上面に沿って封水流路２９に流入する。
【００２９】
前記天壁２３の外周下面には廂部３０を突設している。この廂部３０は、排出口２７の上部を封水部２２の径外側から覆っている。この廂部３０の内面には、排出口２７から流出する排水を下向きに案内する断面側面視円弧状の案内面３０ａが形成されている。このような廂部３０を設けることによって、排出口２７からの排水に乱流が発生し難くなり、流れがスムーズになるため、排水性が向上する。
【００３０】
前記天壁２３の隔壁２６との接続側上面には摘み部３１を突設している。この摘み部３１は、隔壁２６と直交する方向に長く（図４参照）且つ上方から指摘み可能に形成されている。このような摘み部３１を設けることで、トラップ部材２０を接続部材１０に着脱するのが容易になる。また、摘み部３１は、封水流路２９に流入する排水を整流する機能を有する。この場合、封水流路２９に排水がスムーズに流入するようになるため、排水性が向上する。
【００３１】
上記のように構成された排水トラップ１では、天壁２３が接続部材１０の取付部１３と略同高さで且つ略水平に形成されているため、特許文献１の排水トラップ１０１（図８参照）のように、天壁１２３が接続部材１１０の下部から斜め下方に延びている場合と比べて、排出口２７を上方に寄せることができる。その結果、距離Ｄ（図３参照）を規格に適合させつつ、トラップ部材２０の床下への突出寸法を可及的に抑制することができる。
［第２実施形態］
図５〜図７は本発明の第２実施形態の排水トラップ２を示している。なお、第２実施形態において、第１実施形態と対応する部位には同一の符号を使用し、第１実施形態と重複する説明は省略する。
【００３２】
第２実施形態のトラップ部材２０は、第１実施形態のような廂部３０（図１参照）を備えておらず、接続部材１０が廂突起部１６を備えている。廂突起部１６は、下接続部１２の上部内周に約半周に亘って突設されており、天壁２３の外周下面に沿って排出口２７の上部を封水部２２の径外側から覆う。廂突起部１６の内面には、排出口２７から流出する排水を下向きに案内する断面側面視円弧状の案内面１６ａが形成されている。
【００３３】
また、第２実施形態では、接続部材１０の下接続部１２の外周と排水流出管Ｐ２の内周との間に、第１実施形態のようなアダプター６０（図１参照）が設けられておらず、下接続部１２の外周に排水流出管Ｐ２の内周を直接接続している。
廂突起部１６は、第１実施形態の廂部３０と同様に、排出口２７から排出される排水を下向きに案内する。したがって、排水トラップ２によれば、排出口２７からの排水に乱流が発生し難くなり、流れがスムーズになるため、排水性が向上する。
【００３４】
以上、図１〜図７を参照して、本発明の具体的な実施形態を説明したが、本発明は上記の各実施形態に限定されるものではなく、上記の各実施形態に種々の変更を施すことができる。
例えば、第１実施形態の接続部材の内部に第２実施形態のトラップ部材を設けてもよい。
【００３５】
また、摘み部３１を割愛して、天壁２３の隔壁２６との接続側上面を平坦にしてもよい。
また、各実施形態では、排水ホースがホースジョイントを介して接続部材に接続されて
いるが、ホースジョイントを使用せずに、排水ホースを直接接続部材に接続してもよい。この場合、排水ホースが本発明の排水流入管に相当する。
【００３６】
また、本発明の排水トラップは、トラップ部材に流入する排水中に含まれる異物（例えば糸屑）を捕捉するストレーナを備えていてもよい。この場合、封水流路が異物によって詰まるのを抑制することができる。特に、ドラム式洗濯機では、異物を捕捉するフィルターの網目が粗いため、ドラム式洗濯機の排水経路に設置される排水トラップに当該ストレーナを設けると、有用である。なお、当該ストレーナは、トラップ部材と別体の部材であってもよいし、トラップ部材に一体成形してもよい。
【符号の説明】
【００３７】
１    排水トラップ
２    排水トラップ
１０    接続部材
１１    上接続部
１２    下接続部
１２ａ  下端縁
１３    取付部
１６    廂突起部
１６ａ  案内面
２０    トラップ部材
２１    上支持部
２２    封水部
２２ｅ  上部開口
２３    天壁
２６    隔壁
２７    排出口
２７ａ  下縁
２７ｂ  上縁
３０    廂部
３０ａ  案内面
３１    摘み部
Ｆ    床
Ｐ１    ホースジョイント（排水流入管）
Ｐ２    排水流出管
【図１】
2016089535.tif 000003
【図２】
2016089535.tif 000004
【図３】
2016089535.tif 000005
【図４】
2016089535.tif 000006
【図５】
2016089535.tif 000007
【図６】
2016089535.tif 000008
【図７】
2016089535.tif 000009
【図８】
2016089535.tif 000010